(57)【要約】【課題】回収型育苗用具にて長根苗を育苗し、孔壁の崩壊が無い掘削孔に、長根苗を植付けた後に育苗用具を回収し、植物根系を垂直下方成長する、育苗・植付けの器具及び方法を提供すること。特に、以下の効果を有する長根苗用の育苗用具を提供すること。  （１）根巻きが無くストレートな直根で安定土壌層に到達可能な長根苗が得られる。  （２）搬送植付け作業が容易で作業時の根系の損傷が無い。  （３）育苗用具は植付け後回収可能。【解決手段】合成樹脂あるいは金属からなり長さが５０ｃｍ以上で内径アスペクト比５以上の円柱開口パイプが長軸方向に２つに切断或いは分割された面が二次元平面をなす分割パイプ、の両分割パイプの分割面同士を相対させた分割集合パイプからなる長根苗の育苗用具を提供する。【選択図】図１
2020146031.tif 000002
【特許請求の範囲】
【請求項１】
合成樹脂製又は金属製であって、
長さが５０ｃｍ以上で内径アスペクト比５以上の円柱開口パイプが長軸方向に２つに分割され分割パイプを２つ有し、
前記分割は平面においてなされ、
２つの前記分割パイプの分割面同士を相対させた分割集合パイプからなることを特徴とする、育苗用具。
【請求項２】
前記分割集合パイプの外周に両分割パイプを相対して結束させる結束体が取付けられていることを特徴とする、請求項１に記載の育苗用具。
【請求項３】
前記分割集合パイプに回収用用具取付け部が備えられ、
前記回収用用具取付け部は、（１）分割パイプの内周面、外周面、端面、及び分割面とは別の界面を形成し、（２）外端が分割集合パイプの円弧中心軸・外周交差点から１ｍｍ以上離間していることを特徴とする、請求項１又は２に記載の育苗用具。
【請求項４】
移動手段と台車とからなり、
前記台車は、育苗長根苗が収納された育苗用具が横積み可能な荷台と掘削手段とを備え、
前記掘削手段は、昇降機構と、外周にスクリュー羽根を備えたオーガドリルと、回転機構からなる掘削用具とからなる、ことを特徴とする植付け移動体。
【請求項５】
前記オーガドリルは、中空オーガドリルであり、
前記中空オーガドリルは、外周にスクリュー羽根を備え、育苗長根苗収納育苗用具が挿入可能な径の中空貫通孔を有し、下方にはヒンジを介して開閉ヘッドが形成されていることを特徴とする、請求項４記載の植付け移動体。
【請求項６】
前記台車上に、（１）傾斜状の底部を有し育苗長根苗収納育苗用具が横積み可能な荷台、及び荷台傾斜底面の最下部と空隙部で連結され起立軸を起点に起立し育苗長根苗収納育苗用具を投入可能とする起立投入体と、（２）着座時の起立投入体の下方及び水平の台車に設けられた育苗長根苗収納育苗用具の起立投入体への転入制御用の開閉体とが備えられていることを特徴とする、請求項４又は５に記載の植付け移動体。
【請求項７】
前記掘削手段は、回収用具取付け部に取り付け可能な回収用具が取付けられていることを特徴とする、請求項４〜６のいずれか１項に記載の植付け移動体。
【請求項８】
昇降機構の下降と掘削用具の回転によりオーガドリルを地中へ貫入しながら掘削土壌を地上に排出する工程と、
前記掘削土壌の投入と前記オーガドリルの逆回転引き上げにより筒状圧密土壌層を形成する工程と、
長根苗を収納した請求項１〜３のいずれか１項に記載の育苗用具を掘削孔或いは中空オーガの中空貫通孔に挿入する工程と、
育苗長根苗収納育苗用具から育苗用具を脱型する工程と、
育苗用具を回収する工程と、
前記長根苗と掘削空間の隙間へ土壌を埋め戻す工程とを含むことを特徴とする、長根苗の植付け方法。
【発明の詳細な説明】
【技術分野】
【０００１】
本発明は、乾燥地、荒廃地等の緑化用長根苗に用いる育苗用具、植付け移動体及び長根苗の植付け方法に関する
【背景技術】
【０００２】
乾燥地や荒廃地の緑化では植付け苗の活着率や生存率向上のため温度や水分が年間を通して安定な一定深度（概ね５０ｃｍ）以下の安定土壌層に到達可能な長い根系を持つ長根苗の植付けが有効とされる。当該技術は早期に地中深く根系を直接形成できることから、防災林或いは海岸林植栽等にも適用できる可能性がある。しかし、長根苗は長い根系のため育苗用具からの脱型が困難で、脱型、搬送、植付け等作業時に損傷しやすく、プラグ苗の場合は重く作業性が低下する。
【０００３】
長根苗植付け用の深い孔の掘削は穴壁の崩壊のため大口径の孔を掘らざるを得ず大量の土壌の掘削と埋め戻しが必要であり作業性が低下する。灌水や雨水は大量の埋め戻し土壌に浸透し地表付近に留まる。根の水分屈性により地表近傍で根系を発達させた長根苗は乾季での地表近傍の高温や水ストレスにより生存率が低下する。長根苗を更に下方伸長させるには孔壁が崩壊せず雨水が垂直浸透する植付け孔掘削技術が求められている。
【０００４】
このように長根苗による乾燥地緑化では育苗、植付け孔の掘削、植付け等各工程の統合技術が必要であるとの発想から本願発明に至った。
【０００５】
特許文献１には砂漠等の緑地化用に土壌水分の流出遮断と地熱の断熱を目的とする作業機が示されている。  本作業機は先端の開口 部が開閉可能な中空オーガによる掘削に併せて外筒と外サックを地中に押し込み、植付け苗入り内サックを中空オーガに投入し開口部を押し開いて着床させ、内外サックを埋め込む。
【０００６】
特許文献２には、径が５〜２０ｃｍ高さが５〜２０ｃｍの半割れ中空筒状ブロックを合体した保育ブロックが開示されている。本ブロックは土壌系材料による加圧成型で作られ、植付け時に幼苗を内部に収納して地中に埋設され、６〜２０ヶ月後には根系成長により自然劣化崩壊する、とされる
【０００７】
特許文献３には、乾燥地等用に半割れ状の筒体と板状の蓋材からなる短期育成用具が示されている。低硬度培土いり本用具にて苗を３０〜７０度傾斜して育苗し、定植地のボーリング穴に埋め込む。筒体は透水性、保水性、通気性を有する多孔性材料が使用される。蓋材及び筒体の回収は工程的に煩雑となるので生分解性材料の埋め込みが好ましい、とされる。
【先行技術文献】
【特許文献】
【０００８】
【特許文献１】特開２００２−２１８８０３号公報
【特許文献２】特開２００４−３２９１２４号公報
【特許文献３】特開２００８−２１２０００号公報
【発明の概要】
【発明が解決しようとする課題】
【０００９】
特許文献１記載の作業機による植付けでは多くの用具と作業工程を要する。
【００１０】
特許文献２記載の保育ブロックは低剛性のため低背・低アスペクト比・厚い壁面となる。重い容器は植付け作業性を低下させ、低背容器による短根育苗苗は安定土壌層へ伸長するまで水平方向への浸透量を含めて多量の継続的灌水が必要である
【００１１】
特許文献３記載の半割れ筒体に蓋をする構造は気密性が高く通気性確保のための連続多孔質筒体は製造困難で機械的強度と耐久性に劣る。
【００１２】
上記特許文献の用具はいずれも埋め込み型用具である。埋め込み型用具は消耗品のためコスト高となり、樹脂系用具は環境汚染源となり、土壌系用具は長根苗用の高背育苗用具は作れない。
【００１３】
本発明は回収型育苗用具にて長根苗を育苗し、孔壁の崩壊が無い掘削孔に、長根苗を植付けた後に育苗用具を回収し、植物根系を垂直下方成長する、育苗・植付けの器具及び方法を提供することを目的とする。
【００１４】
特に、以下の育苗用具を提供することを課題とする。
（１）育苗では、根巻きが無く安定土壌層に到達可能な長さの直根を有する長根苗が得られる。
（２）搬送・植付け作業が容易で作業時の根系の損傷が無い。
（３）育苗用具は容易に回収可能。
【課題を解決するための手段】
【００１５】
本発明の育苗用具は、
合成樹脂製又は金属製であって、
長さが５０ｃｍ以上で内径アスペクト比５以上の円柱開口パイプが長軸方向に２つに分割され分割パイプを２つ有し、
前記分割は平面においてなされ、
２つの前記分割パイプの分割面同士を相対させた分割集合パイプからなることを特徴とする。
【００１６】
ここで、「内径アスペクト比」は、円柱開口パイプの長さを円柱開口パイプの内径で除した値である。
【００１７】
本発明の育苗用具は、
前記分割集合パイプの外周に両分割パイプを相対して結束させる結束体が取付けられていることを特徴とする。
【００１８】
本発明の育苗用具は、
前記分割集合パイプに回収用用具取付け部が備えられ、
前記回収用用具取付け部は、（１）分割パイプの内周面、外周面、端面、及び分割面とは別の界面を形成し、（２）外端が分割集合パイプの円弧中心軸・外周交差点から１ｍｍ以上離間していることを特徴とする。
【００１９】
ここで、「界面」は、気体と固体或いは異なる組成の固体等互いに性質の違う二つの物質が接する境界面である。
また、「回収用用具取付け部の外端」は、分割集合パイプの短軸方向二次元投影図において、接する分割パイプの円弧の中心から最も離間した回収用用具の部位である。
また、「円弧中心軸・外周交差点」は、分割集合パイプの短軸方向二次元投影図において、前記外端と接する分割パイプの円弧の中心とを結ぶ軸が分割集合パイプの外周と交差する点である。
【００２０】
本発明の植付け移動体は、
移動手段と台車とからなり、
前記台車は、育苗長根苗が収納された育苗用具が横積み可能な荷台と掘削手段とを備え、
前記掘削手段は、昇降機構と、外周にスクリュー羽根を備えたオーガドリルと、回転機構からなる掘削用具とからなる、ことを特徴とする。
【００２１】
本発明の植付け移動体は、
前記オーガドリルは、中空オーガドリルであり、
前記中空オーガドリルは、外周にスクリュー羽根を備え、育苗長根苗収納育苗用具が挿入可能な径の中空貫通孔を有し、下方にはヒンジを介して開閉ヘッドが形成されていることを特徴とする。
【００２２】
本発明の植付け移動体は、
前記台車上に、（１）傾斜状の底部を有し育苗長根苗収納育苗用具が横積み可能な荷台、及び荷台傾斜底面の最下部と空隙部で連結され起立軸を起点に起立し育苗長根苗収納育苗用具を投入可能とする起立投入体と、（２）着座時の起立投入体の下方及び水平の台車に設けられた育苗長根苗収納育苗用具の起立投入体への転入制御用の開閉体とが備えられていることを特徴とする。
【００２３】
本発明の植付け移動体は、
前記掘削手段は、回収用具取付け部に取り付け可能な回収用具が取付けられていることを特徴とする。
【００２４】
本発明の長根苗の植付け方法は、
昇降機構の下降と掘削用具の回転によりオーガドリルを地中へ貫入しながら掘削土壌を地上に排出する工程と、
前記掘削土壌の投入と前記オーガドリルの逆回転引き上げにより筒状圧密土壌層を形成する工程と、
長根苗を収納した請求項１〜３のいずれか１項に記載の育苗用具を掘削孔或いは中空オーガの中空貫通孔に挿入する工程と、
育苗長根苗収納育苗用具から育苗用具を脱型する工程と、
育苗用具を回収する工程と、
前記長根苗と掘削空間の隙間へ土壌を埋め戻す工程とを含むことを特徴とする。
【発明の効果】
【００２５】
本発明によれば、以下の効果が期待できる。
（１）本育苗用具により育苗された長根苗は分割パイプ間の分割面の空気根切り効果により根巻きが無く垂直に下方伸長した直根を有する。
（２）安定土壌層に到達可能な長さの根系を有する長根苗の植付けにより活着率と生存率が向上する。
（３）育苗長根苗収納育苗用具の下端から長根苗だけを脱型させ植付け孔に植付けることにより根系の損傷と乾燥が回避される。
（４）スリムな育苗用具のため充填培土の減少と軽量化により作業性が向上する。
（５）育苗用具は回収利用され、地中残存育苗用具による根系成長阻害や環境汚染がなく、低コスト化が図れる。
【図面の簡単な説明】
【００２６】
【図１】図１は、分割パイプ及び育苗用具を示す図である。  図１（１）は、分割パイプ１を示し、（ａ１）は、樹脂成型による分割パイプの上面図であり、（ｂ１）は、樹脂成型による分割パイプのパイプ内側から見た側面図であり、（ａ２）は、円柱開口パイプの切断による分割パイプの上面図であり、（ｂ２）は、円柱開口パイプの切断による分割パイプのパイプ内側から見た側面図である。  図１（２）は、育苗用具５を示し、（ａ１）は、成型分割パイプからなる育苗用具の上面図であり、（ｂ１）は、成型分割パイプからなる育苗用具の側面図であり、（ａ２）は、円柱開口パイプの切断分割パイプからなる育苗用具の上面図であり、（ｂ２）は、円柱開口パイプの切断分割パイプからなる育苗用具の側面図であり、（ａ３）は、円柱開口パイプの斜め切断分割集合パイプからなる育苗用具の上面図であり、（ｂ３）は、円柱開口パイプの斜め切断分割集合パイプからなる育苗用具の側面図である。
【図２】図２は、拘束枠付き育苗ラックと育苗用具による長根苗の育苗方法を説明する斜視図である。
【図３】図３は、外周に結束体が備えられた育苗用具を示す図である。  （ａ１）は、立てバンド結束体にて結束された育苗用具の側面図であり、（ｂ１）は、立てバンド結束体にて結束された育苗用具の上面図であり、（ｃ１）は、立てバンドの実例であり、（ａ２）は、樹脂結束バンド結束体にて結束された育苗用具の側面図であり、（ｂ２）は、樹脂結束バンド結束体にて結束された育苗用具の上面図であり、（ｃ２）は、樹脂バンドの実例であり、（ａ３）は、一部の円弧部が欠けた金属バンドにて結束された育苗用具の側面図であり、（ｂ３）は、一部の円弧部が欠けた金属バンドにて結束された育苗用具の上面図である。
【図４】図４は、回収用用具取付け部が備えられた育苗用具を示す図である。  （ａ１）は、立てバンド回収用用具取付け部が備えられた育苗用具の側面図であり、（ｂ１）は、立てバンド回収用用具取付け部が備えられた育苗用具の上面図であり、（ａ２）は、樹脂結束バンド回収用用具取付け体が備えられた育苗用具の側面図であり、（ｂ２）は、樹脂結束バンド回収用用具取付け体が備えられた育苗用具の上面図であり、（ａ３）は、Ｓ字フック回収用用具取付け体が備えられた育苗用具の側面図であり、（ｂ３）は、Ｓ字フック回収用用具取付け体が備えられた育苗用具の上面図である。
【図５】図５は、第四の態様による植付け移動体の構成例を示す図である。  図５（１）は、植付け移動体の側面図であり、図５（２）（ａ１）は、掘削用具の側面図であり、図５（２）（ａ２）は、ブレードを備える掘削用具の側面図であり、図５（２）（ｂ２）は、ブレードを備える掘削用具の上面図である。
【図６】図６は、第五の態様による植付け移動体の構成例を示す図である。  図６（１）は、中空オーガからなる掘削用具の側面図を示し、  図６（１）（ａ１）は、先端ヘッドが閉口された状態の中空オーガを示し、  図６（１）（ａ２）は、先端ヘッドが開口された状態の中空オーガを示し、図６（２）は、中空オーガからなる掘削用具を備える植付け移動体の側面図である。
【図７】図７は、第七の態様による植付け移動体の構成例を示す図である。  図７（ａ）は、植付け移動体の側面図であり、図７（ｂ）は、植付け移動体の後面図である。
【図８】図８は、第七の態様の植付け移動体による植付けの工程図である。
【発明を実施するための形態】
【００２７】
本発明の第一の態様は、
合成樹脂製又は金属製であって、
長さが５０ｃｍ以上で内径アスペクト比５以上の円柱開口パイプが長軸方向に２つに分割され分割パイプを２つ有し、
前記分割は平面においてなされ、
２つの前記分割パイプの分割面同士を相対させた分割集合パイプからなることを特徴とする育苗用具である。
【００２８】
以下、図面を参照しつつ説明する。
図１（１）は分割パイプ１を示す。長さが５０ｃｍ以上で内径アスペクト比５以上の両端開口円柱パイプが長軸方向に分割線２により２つに分割或いは切断されている。
図１（１）（ａ１）は成型法により作成されたた分割パイプ１を示す。分割パイプ１は半円柱パイプであり、両分割線２を結ぶライン上に円弧中心３が存在する。
図１（１）（ａ２）は円柱パイプを刃物の切断で作成された分割パイプ１を示す。分割パイプ１は半円柱パイプから刃物の厚さ部分が切除され、両分割線２を結ぶラインより外側に円弧中心３が存在する。
何れの分割パイプも使用可能である。
【００２９】
図１（１）（ｂ１）（ｂ２）には断面内側からみた分割パイプ１を示す。
分割線２は、分割パイプの厚さのため当図では二次元平面からなる分割面２で示される。
分割パイプの厚さは、合成樹脂パイプの場合は市販の塩化ビニルパイプが使用可能で、内径７７ｍｍのＶＰパイプは肉厚５．５ｍｍ、内径５１ｍｍのＶＰパイプは肉厚４．１ｍｍである。
【００３０】
図１（２）には分割パイプ１の分割面同士を相対させた分割集合パイプ５を示す。
図１（２）（ａ１）（ｂ１）は、前記成型法分割パイプ同士を相対させた分割集合パイプ５である。
図１（２）（ａ２）は、前記切断法分割パイプ同士を相対させた分割集合パイプ５である。
図１（２）（ａ３）は、円柱を長軸方向に斜めに切断された場合である。
何れの分割集合パイプも使用可能である。
分割パイプ作成時の成型や切断、使用時の損傷等、に由来する分割面の凹凸は二次元平面性を損なうものではない。
【００３１】
図２には、育苗用具５による長根苗の育苗方法の斜視図を示す
育苗用具５はその外周を育苗ラック１３に拘束された状態で概ね垂直に収納され、底面は複数の架台１５間に張り渡されたメッシュ１４で支持され培土の脱落防止されている。
育苗用具５の内部に培土を充填し、播種或いは幼苗（挿し木苗、地下茎を含む）を移植し、適時施肥或いは灌水を行い長根苗を育苗する。
（以下、容器内の根系と培土の構成物を「根鉢」１２、育苗用具５にて育苗された根鉢付き長根苗を「プラグ苗」１１、プラグ苗入り育苗用具を（「プラグ育苗用具」１０、と言う。）
【００３２】
育苗中には灌水と根系の成長により根鉢１２の容積が増大し、両分割面２の間の分割面が拡大し、通気性が向上する。その結果当該分割線２には、市販のスリット入り育苗コンテナのスリットと同様に、空気根切り効果が生じ根巻きの無い直根を有するプラグ苗１１の育苗が可能となる。
根鉢１２は根系をメッシュ１４まで伸長させることが好ましく、メッシュ１４の空気根切り効果による根巻き防止、及び育苗ラック１３より取り出され植付け地へ搬送されるプラグ育苗用具１０の培土脱落防止、が可能となる。
【００３３】
植付けは、プラグ育苗用具１０を植付け孔の上に位置させる或いは挿入し、プラグ育苗用具１０の上部をハンマーで叩く等衝撃を与え収納されたプラグ苗１１を育苗用具５の下端から脱型し（以下「下端脱型」と言う）、植付け孔に落とし込む、或いはプラグ苗１１を植付け孔に残して育苗用具５だけを引き上げる、方法が可能である。
【００３４】
上記植付けでは根鉢１２が搬送中も育苗用具５に保護され、乾燥と損傷防止による活着率向上が期待できる。非円柱パイプの育苗用具に比し、同一容積で比較すると円柱パイプの育苗用具５は根鉢１２との接触界面が小さく、容易に下端脱型可能である。
育苗用具５の長さは安定土壌層に到達可能な任意の長さにすることで、植え付けられた根鉢１２は安定土壌層に直接到達し活着率や生存率の向上が期待できる。
育苗用具５をアスペクト比５以上とすることで、充填培土の少量化と軽量化により作業性が向上する。
【００３５】
本発明の第二の態様は、
前記分割集合パイプの外周に両分割パイプを相対して結束させる結束体が取付けられていることを特徴とする育苗用具である。
【００３６】
図３（ａ１）（ｂ１）に示すように、育苗用具５の上部には外周を取り囲むように結束体６として図３（Ｃ１）に示す金属製の立てバンドが取付けられ２つの分割パイプ１の分割面を相対させて結束している。
【００３７】
図３（ａ２）（ｂ２）に示すように、育苗用具５の上部には貫通孔が設けられ、結束体６として貫通孔に食い込むように図３（ｃ２）に示す樹脂バンドで結束され、結束バンドの端面が貫通孔内部に挿入されている。
【００３８】
図３（ａ３）（ｂ３）に示すように、育苗用具５の上部に育苗用具の外周の半分以上を取り囲むように結束体６として図２（Ｃ３）に示す一部の円弧部が欠けた金属製の結束バンドが取付けられ、２つの分割パイプを相対させて結束している。
【００３９】
結束体６によりプラグ育苗用具１０の搬送時の衝撃等による予期せぬ脱型や分解防止が可能となる。
【００４０】
本発明の三の態様は、
前記分割集合パイプに回収用用具取付け部が備えられ、
前記回収用用具取付け部は、（１）分割パイプの内周面、外周面、端面、及び分割面とは別の界面を形成し、（２）外端が分割集合パイプの円弧中心軸・外周交差点から１ｍｍ以上離間していることを特徴とする育苗用具である。
【００４１】
図４（ａ１）（ｂ１）に示すように、図３（ａ１）（ｂ１）と同様の立てバンドが取付けられ、立てバンドは拘束体６及び回収用用具取付け部（以下「取付け部」という）７を兼用している。
図４（ｂ１）に示すように、取付け部７の外端９は、外端９から接する分割パイプの円弧中心点３を結ぶ中心軸が円弧の外周と交わる点８よりも１ｍｍ以上離間している。
【００４２】
図４（ａ２）（ｂ２）（ｃ２）に示すように、育苗用具５として図３（ａ２）（ｂ２）と同様の樹脂バンドが取付けられ、樹脂バンドは拘束体８と取付け部７として兼用している。
ここでは取付け部７の外端９は樹脂バンドの外周となり、接する分割パイプの外周よりも樹脂バンドの厚み分だけ離間している。
【００４３】
図４（ａ３）（ｂ３）に示すように、育苗用具５の上部の穿孔孔にS字フックが取り付けられ、取付け部７として使用される。
ここでは取付け部７の外端９はＳ字フックの外端となり、接する分割パイプの外周よりもＳ字クックの外端は１ｍｍ以上離間している。
【００４４】
立てバンド、結束バンド、Ｓ字フックからなる取付け部７は分割パイプの内周面、外周面、開口面、分割面の界面とは別の界面を形成している。
取付け部７は別の界面を形成していれば形状や材質などに限定は無く、分割パイプへの孔、凹部、凸部等の加工或いは各種の結束バンド、ワイヤー、金属フック、磁性体金属等が可能である。
これら結束体６はいずれも使用可能であるが、本事例に限るものではない。
【００４５】
育苗用具５の複数箇所を結束或いは回収用用具を取り付けることも可能である。
結束体６或いは回収用用具７の取付けは、育苗時に取り付けておくことが好ましい。
結束体６や回収用用具７の取り外し時期あるいは取り外しの有無は、植付けや回収条件等により選択可能である。
【００４６】
取付け部７はプラグ育苗用具１０の植付け時の植付け孔への挿入時、下端脱型時、育苗用具５の回収用具３９の結合用に有効であるが、人手による保持点としても使用可能である。
【００４７】
本発明の第四の態様は、
移動手段と台車からなり、台車には育苗苗が収納された育苗用具が横積み可能な荷台と掘削手段が備えられ、掘削手段が昇降機構と外周にスクリュー羽根を備えたオーガドリルと回転機構からなる掘削用具からなる、ことを特徴とする植付け移動体である。
【００４８】
図５（１）に示すように、移動手段３３としてのトラクターに台車３１が連結されている。
台車３１上の荷台３４にはプラグ育苗用具１０が横積み可能であり、台車前部には昇降機構３８と掘削用具２０からなる掘削手段３６が備えられている。
トラクターと台車３１は油圧リンケージにて連結され、トラクターの油圧装置が台車上の昇降機構３８及び掘削用具２０の油圧モーターの動力源として使用可能である。
【００４９】
昇降機構３８は、台車３１に略垂直に設けられたレール（図示省略）つきのマスト３７、マストレール上の梁をワイヤーにて上下させる回転モーターからなる。
梁には掘削用具２０が取付けられ、掘削用具２０は昇降機構３８により昇降自在であり、台車開口部３２を通過して植付け地面への昇降と地中掘削貫入が可能である。
【００５０】
図５（２）（ａ１）には、回転機構２１とオーガドリル２４からなる掘削用具２０を示す。回転機構２１はオーガドリル２４の回転用モーター２２と各種オーガドリルの交換用継手２３からなる。オーガドリル２４の外周には正回転により地中に掘削貫入される方向のスクリュー羽根２８が形成されている。
【００５１】
図５（２）（ａ２）にはオーガドリル２４に取付け部側に垂直面が幅広なブレード１９が取付けられている構成を示す。図５（２）（ｂ２）に示すようにブレード１９は逆回転方向に湾曲し、台車開口部３２を通過し、地中貫入オーガドリルの回転と共回転し掘削土壌等の投入と掘削孔の窪地化を機械的に行うことができる。
【００５２】
植付け移動体３０による植付け工程の一事例は以下のとおりである。
（１）昇降機構３８により掘削用具２０を台車開口部３２を通過して植付け地面まで下降させ、オーガドリル２４を正回転させスクリュー羽根２８の上方送出効果により掘削土壌を地上に排出しながらオーガドリル２４を地中の所定深さにまで掘削貫入する。
（２）掘削土壌等を投入しながらオーガドリル２４を逆回転させスクリュー羽根２８の下方送出効果により投入土壌を下方及び周囲に圧密する。オーガドリル２４を脱抜後は掘削孔とその周囲に筒状圧密土壌層５３が形成される。
（３）移動体３３を台車後部端を掘削孔の下垂点に来るよう前進させる。
（４）荷台３４のプラグ育苗用具１０の１本を引き出し、その下端を掘削孔上の荷台後端の植付け孔への下垂点に覆うように傾斜させ、更に起立させプラグ育苗用具１０の下端を植付け孔に挿入させた状態で、ハンマー等で育苗用具の上端を叩き衝撃でプラグ苗１１を下端脱型させる。
（５）育苗用具５のみを引き上げ回収する。
（６）植付け孔に土壌を埋め戻し、灌水を行う。
【００５３】
本構成以外に、台車３１上に移動手段３３を併存させる構成も可能である。
掘削手段３６を台車後方に備え、掘削と植付けを同一箇所で行う構成も可能である。
台車開口４３２を設けず、掘削用具２０を台車の外側で昇降させる構成も可能である。
【００５４】
円筒圧密土壌層５３の形成により、孔壁崩壊のない掘削孔が形成される。
プラグ育苗用具１０を荷台に横積みし、育苗用具５をプラグ苗１１の保護と掘削孔への傾斜・起立、落下の位置合わせガイドとして機能させることで、長い根系のプラグ苗１１であっても容易に植付け孔への位置合わせと起立挿入落下が可能となる。
【００５５】
本発明の第五の態様は、
前記オーガドリルは、中空オーガドリルであり、
前記中空オーガドリルは、外周にスクリュー羽根を備え、育苗長根苗収納育苗用具が挿入可能な径の中空貫通孔を有し、下方にはヒンジを介して開閉ヘッドが形成されていることを特徴とする、植付け移動体である。
【００５６】
図６（１）には、回転機構２１と中空オーガドリル２５からなる掘削用具２０を示す。
回転機構２１は、中空貫通型の回転モーター２２と継手２３からなり、上方から中空オーガの中空貫通孔にプラグ育苗用具１０が投入可能である。
【００５７】
中空オーガドリル２５は、プラグ育苗用具１０が挿入可能な径の中空貫通孔を有し、下方にヒンジ２６を介して開閉ヘッド２７が取り付けられ、外周に螺旋状のスクリュー羽根２８が形成されている。開閉ヘッド２７は逆円錐形状で、母線方向に延びる分割線によって周上で複数に分割されると共に各分割片の上端がそれぞれ独立してヒンジ２６により連結され開閉ヘッド２７が分割片毎に開閉自在となっている。
開閉ヘッドの分割数は、好ましくは２〜８、より好ましくは４〜６である。
【００５８】
図６（１）（ａ１）に示すように、中空オーガ２５の掘削貫入時には開閉ヘッドは土壌の反力により先端は閉口状態で掘削が進行する。
図６（１）（ａ２）に示すように、中空オーガ２５の引き上げ時には下方が空隙となり重力により下垂し先端が開口され、内部のプラグ育苗用具１０は開閉ヘッドを通過して掘削孔の底部に到達する。
【００５９】
図６（２）は、中空オーガドリル２５を用いた植付け移動体３０の構成例を示す。移動手段３３としてのトラクターに台車３１が連結され、台車上にはプラグ育苗用具１０が横積みされた荷台３４、台車後部には昇降機構３８と掘削用具２０からなる掘削手段３６が備えられている
【００６０】
前記植付け移動体３０による植付け工程の一事例は以下のとおりである
（１）掘削用具２０を台車開口部３２を通過して植付け地面まで下降させ、中空オーガドリル２５を正回転させスクリュー羽根２８の上方送出効果により掘削土壌を地上に排出しながら中空オーガドリル２５を地中の所定深さにまで掘削貫入する。
（２）荷台３４のプラグ育苗用具１０の１本を引き出し、その下端を掘削孔上の荷台後端の植付け孔への垂下点に覆うように傾斜させ、更に起立させプラグ育苗用具１０を中空オーガドリル２５の中空貫通孔に挿入する。
（３）掘削土壌等を投入しながら中空オーガドリル２５を逆回転させスクリュー羽根２８の下方送出効果により投入土壌を下方及びプラグ育苗用具１０の周囲に筒状圧密土壌層５３を形成する。
（４）育苗用具５のみを引き上げ回収する
（５）プラグ苗植付け孔に土壌を埋め戻し、灌水を行う。
【００６１】
地中に貫入した中空オーガドリル２５の中空貫通孔を植付け投入ガイドとすることで、長い掘削孔や穴壁の崩壊し易い土壌であっても孔壁の崩壊無くプラグ育苗用具１０が投入可能である。
圧密土壌層５３の形成後に育苗用具５を引き上げ回収することで、植付け苗の根鉢外周には空隙への埋め戻しによる筒状粗密土壌層５４、その外周に筒状圧密土壌層５３が生じ、灌水或いは雨水の多くは筒状粗密土壌層５４を垂直浸透し、根系垂直伸長が期待される。
【００６２】
本発明の第六の態様は、
前記台車上に、（１）傾斜状の底部を有し育苗長根苗収納育苗用具が横積み可能な荷台、及び荷台傾斜底面の最下部と空隙部で連結され起立軸を起点に起立し育苗長根苗収納育苗用具を投入可能とする起立投入体と、（２）着座時の起立投入体の下方及び水平の台車に設けられた育苗長根苗収納育苗用具の起立投入体への転入制御用の開閉体とが備えられていることを特徴とする、植付け移動体である。
【００６３】
図７（ａ）に示すように、植付け移動体３０の台車３１では、前方に移動手段３３、後方に掘削手段３６、中央にプラグ育苗用具１０が根鉢側を後方に横積みされた荷台３４、荷台と並列に少なくとも後方が開口された起立投入体４０、が備えられている。
【００６４】
起立投入体４０と掘削用具２０はワイヤー４１と昇降機構３８を介して連結され、両者は両連結体が均衡するように加重や滑車等で調整され、昇降機構３８の最小動力で両者が相互に逆方向に昇降或いは起立着座可能である。
起立投入体４０は、起立軸４２を起点に略９０度起立し、起立時には開口底面が台車開口部３２、中空オーガドリル２５と略同一中心垂直線上に位置するよう配置されている。
【００６５】
図７（ｂ）に示すように、荷台３４は荷台傾斜底面３５が車両の両側面側に下降傾斜している。
荷台傾斜底面３５の最下部は荷台３４と起立投入体４０との間にプラグ育苗用具１０が通過可能な空隙部４３を形成している。
起立投入体４０は荷台３４の荷台傾斜面３５にプラグ育苗用具１０の最下部の―式のみが収納可能な容積を有する。
【００６６】
図７（ａ）及び（ｂ）に示すように、荷台着座時の起立投入体４０の垂直下部には、台車凹部４６が形成され、開閉体４５として伸縮コイルが収納されている。伸縮コイルの両端は台車凹部４６と起立投入体４０の各特定点と連結されている。開閉体４５は、起立投入体４０の起立時には荷台から起立投入体４０の起立跡の空間へ伸長し傾斜荷台最下部のプラグ育苗用具１０の起立跡空間への落下を阻止し、荷台着座時には台車凹部４６へ収納され傾斜荷台最下部のプラグ育苗用具１０を起立投入体４０へ転出させる。
【００６７】
起立投入体４０をワイヤー４１に接続せず起立軸４２にモーターを内蔵し、昇降機構３８とは独立に起立させることも可能である。
開閉体４５として折り畳みクローザー、プリーツカーテン、スライドステイ、電動シャッター等も使用可能である。
しかし、これらに限定されるものではない。
【００６８】
本態様による植付け工程の一事例は、第七の態様の事例にて示す。
本態様によりプ荷台に横積みされたプラグ育苗用具１０の掘削孔への投入を簡便な機構で植付け孔への位置合わせも含めて機械的に行うことが出来る。
【００６９】
本発明の第七の態様は、
前記掘削手段は、回収用具取付け部に取り付け可能な回収用具が取付けられていることを特徴とする、植付け移動体である。
図８に示すように掘削手段３６を構成する垂直マスト３７の上部に回収用用具３９が取付けられている。回収用用具３９は独立に昇降自在なチェーンブロックのチェーンの先端にが輪が形成されている。育苗用具５には第三の態様による取付け部７が取り付けられており、回収用用具３９の輪に取付け部７のＳ字フックを結合させることで、育苗用具5はチェーンブロックの昇降と共に引上げ回収可能となる。
【００７０】
図８には、第六及び本態様による植付け工程を示す。
（１）昇降機構３８により中空オーガ２５を下降正回転して地中に掘削貫入させ、連動してプラグ育苗用具１０が収納された起立投入体４０と開閉体４５が起立開始する。
（２）中空オーガ２５の所定深度掘削貫入時には起立投入体４０は連動して起立完了し収納プラグ育苗用具１０は下端開口部から中空オーガ２５の中空貫通孔に投入される。
（３）中空オーガ２５の逆回転と掘削土壌の埋め戻しによりプラグ育苗用具１０の周囲に筒状圧密土壌層５３を形成し、昇降機構３８の逆回転により中空オーガ２５を地中より引き上げ、連動して起立投入体４０の台車３１への着座が開始される。
（４）起立投入体４０の着座と開閉体４７の台車３１への収納により、荷台傾斜底部３５の最下部に位置する別のプラグ育苗用具１０が起立投入体４０に転入される。
（５）回収用用具３９の輪をプラグ育苗用具１０の取付け部７に取り付け、チェーンブロックを巻き上げプラグ苗１１を地中に残置して育苗用具５を回収する。
（６）回収跡の筒状空隙部に埋め戻し材料による埋め戻しと灌水により筒状粗密土壌層５４を形成する。
【００７１】
回収用用具３９としては、輪の他に各種フック、カップリングソケット、グリップハンド、磁石
等が使用可能であるがこれらに限定されるものではない。
中空オーガドリル２５の代わりにオーガドリル２４を使用することも可能である。オーガドリル２４により植付け孔と筒状圧密土壌層を形成した後にオーガドリル２４を脱抜し、起立投入体４０を起立させプラグ育苗用具１０を投入し衝撃でプラグ苗１０を育苗用具５から脱型し、育苗用具５を引き上げ回収する。
【００７２】
本態様により、簡便な機構で育苗用具５を回収することが出来る。
【００７３】
本発明の第八の態様は、
ａ．昇降機構の下降と掘削用具の回転によりオーガドリルを地中へ貫入しながら掘削土壌を地上に排出する工程と、
ｂ．前記掘削土壌の投入と前記オーガドリルの逆回転引き上げにより筒状圧密土壌層を形成する工程と、
ｃ．長根苗を収納した請求項１〜３のいずれか１項に記載の育苗用具を掘削孔或いは中空オーガ中空貫通孔に挿入する工程と、
ｄ．育苗長根苗収納育苗用具から育苗用具を脱型する工程と、
ｅ．育苗用具を回収する工程と、
ｆ．前記長根苗と掘削空間の隙間へ土壌を埋め戻す工程とを含むことを特徴とする、長根苗の植付け方法である。
【００７４】
第四の態様による植付け移動体の場合は、ａ→ｂ→ｃ→ｄ→ｅ→ｆにより植付けが行われる。
第五の態様による植付け移動体の場合は、ａ→ｃ→ｂ→ｄ→ｅ→ｆにより植付けが行われる。
第六の態様による植付け移動体の場合は、ａ→ｃ→ｂ→ｄ→ｅ→ｆにより植付けが行われる。
手順ｂと手順ｃとの順序は入れ替わることがある。
【００７５】
植付け移動体と昇降機構を人が担い、掘削手段をエンジン、油圧、電動等を動力とするハンドオーガを用いて本工程を行うことも可能である。
第四〜第八の態様において、投入掘削土壌以外に、新たに礫、赤土土壌、粘土質土壌、植物繊維等を加えることも可能である。
【産業上の利用可能性】
【００７６】
回収型育苗用具にて長根苗を育苗し、孔壁の崩壊が無い掘削孔に、長根苗を植付けた後に育苗用具を回収し、植物根系を垂直下方成長する、育苗・植付けの器具及び方法である。（１）育苗用具により育苗された長根苗は分割パイプ間の分割面の空気根切り効果により根巻きが無く垂直に下方伸長した直根を有する、（２）安定土壌層に到達可能な長さの根系を有する長根苗の植付けにより活着率と生存率が向上する。（３）育苗長根苗収納育苗用具の下端から長根苗だけを脱型させ植付け孔植付けることにより根系の損傷と乾燥が回避される。（４）スリムな育苗用具のため充填培土の減少と軽量化により作業性が向上する。（５）育苗用具は回収利用され、地中残存育苗用具による根系成長阻害や環境汚染がなく、低コスト化が図れる。以上の効果が期待でき、多くの農林業従事者、環境植林団体、乾燥地緑化団体による利用が考えられる。
【符号の説明】
【００７７】
１    分割パイプ
２    分割線（分割面）  
３    円弧中心  
５    育苗用具
６    結束体
７    回収用用具取付け部（取付け部）  
８    分割パイプの外端
９    回収用用具取付け部（取付け部）の外端
１０  プラグ育苗用具
１１  プラグ苗
１２  根鉢
１３  拘束枠付き育苗ラック
１４  メッシュ
１５  架台
１９  ブレード
２０  掘削用具
２１  回転機構
２２  回転モーター
２３  継手
２４  オーガドリル
２５  中空オーガドリル
２６  ヒンジ
２７  開閉ヘッド
２８  スクリュー羽根
２９  円筒体
３０  植付け移動体
３１  台車
３２  台車開口部
３３  移動手段
３４  荷台
３５  荷台傾斜底面
３６  掘削手段
３７  垂直マスト
３８  昇降機構
３９  回収用用具
４０  起立投入体
４１  ワイヤー
４２  起立軸
４３  空隙部
４５  開閉体
４６  台車凹部
５０  表面土壌層
５１  安定土壌層
５２  掘削土壌
５３  筒状圧密土壌層
５４  筒状粗密土壌層
【図１】
2020146031.tif 000003
【図２】
2020146031.tif 000004
【図３】
2020146031.tif 000005
【図４】
2020146031.tif 000006
【図５】
2020146031.tif 000007
【図６】
2020146031.tif 000008
【図７】
2020146031.tif 000009
【図８】
2020146031.tif 000010